【手続補正書】
【提出日】平成19年8月15日(2007.8.15)
【手続補正１】
【補正対象書類名】明細書
【補正対象項目名】特許請求の範囲
【補正方法】変更
【補正の内容】
【特許請求の範囲】
【請求項１】  記録装置と電気的に接続された給紙装置であって、該給紙装置に接続され前記記録装置に対して該給紙装置よりも下流に接続された他の給紙装置と通信を行なう第１の通信手段および前記記録装置に対して該給紙装置よりも上流に接続された他の給紙装置または前記記録装置と通信を行なう第２の通信手段を備えた給紙装置において、
前記第１の通信手段を用いて前記下流に接続された他の給紙装置の装置情報を取得する手段と、
前記取得した装置情報と自装置の装置情報を併せた装置情報に変換した情報を前記第２の通信手段を用いて前記上流に接続された他の給紙装置または前記記録装置に送信する第１の制御手段と、
前記上流に接続された他の給紙装置または前記記録装置から送信される情報を解析して自装置を介して前記下流に接続された他の給紙装置に送信する第２の制御手段であって、前記情報のうち自装置に関する情報に基づき自装置を制御するとともに、前記情報のうち前記下流に接続された他の給紙装置に関する情報を前記第１の通信手段を用いて前記下流に接続された他の給紙装置に送信する第２の制御手段と
を有することを特徴とする給紙装置。
【請求項２】  前記第２の制御手段は、前記情報から前記下流に接続された他の給紙装置に関する前記情報を分離する分離手段を有することを特徴とする請求項１に記載の給紙装置。
【請求項３】  前記下流に接続された他の給紙装置の前記装置情報は、少なくともそのトレイ数と、当該トレイに関するトレイ情報を含んでおり、
前記上流に接続された他の給紙装置または前記記録装置に送信される変換された前記情報は、少なくとも前記トレイ数に自装置のトレイ数を加算したトレイ数と、前記下流に接続された他の給紙装置および自装置のトレイに関するトレイ情報を含むことを特徴とする請求項１または２に記載の給紙装置。
【請求項４】  前記トレイ情報は、少なくとも積載可能な用紙サイズ情報を含むことを特徴とする請求項３に記載の給紙装置。
【請求項５】  前記トレイ情報は搬送路情報を含んでおり、前記搬送路情報には、継続された搬送路であるか独立した搬送路であるかを識別するマークが付加されていることを特徴とする請求項４に記載の給紙装置。
【請求項６】  前記トレイ情報は、積載可能な用紙の容量、または、現在の用紙の積載状況、または、現在積載されている用紙の種別を含むことを特徴とする請求項４に記載の給紙装置。
【請求項７】  前記トレイ情報は用紙遅延ジャム検知時間を含んでおり、
前記第１の制御手段は、自装置が前記下流に接続された他の給紙装置に至る用紙搬送路を有する場合は、前記下流に接続された他の給紙装置から送信されてきた前記用紙遅延ジャム検知時間に自装置の前記用紙遅延ジャム検知時間を加算した値を前記上流に接続された他の給紙装置または前記記録装置へ送信し、自装置が前記下流に接続された他の給紙装置に至る用紙搬送路を持たない場合は、前記下流に接続された他の給紙装置から送信されてきた前記用紙遅延ジャム検知時間を前記上流に接続された他の給紙装置または前記記録装置へ送信することを特徴とする請求項４に記載の給紙装置。
【請求項８】  前記上流に接続された他の給紙装置または前記記録装置から送信される前記情報は制御対象となるトレイ位置情報を含んでおり、
前記第２の制御手段は、前記トレイ位置情報が前記下流に接続された他の給紙装置のトレイ位置情報であると判断した場合は、前記トレイ位置情報から自装置のトレイ数を減算したトレイ位置情報に変換して前記下流に接続された他の給紙装置に送信することを特徴とする請求項１または２に記載の給紙装置。
【請求項９】  記録装置と電気的に接続された排紙装置であって、該排紙装置に接続され前記記録装置に対して該排紙装置よりも下流に接続された他の排紙装置と通信を行なう第１の通信手段および前記記録装置に対して該排紙装置よりも上流に接続された他の排紙装置と通信を行なう第２の通信手段を備えた排紙装置において、
前記第１の通信手段を用いて前記下流に接続された他の排紙装置の装置情報を取得する手段と、
前記取得した装置情報と自装置の装置情報を併せた装置情報に変換した情報を前記第２の通信手段を用いて前記上流に接続された他の排紙装置または前記記録装置に送信する第１の制御手段と、
前記上流に接続された他の排紙装置または前記記録装置から送信される情報を解析して自装置を介して前記下流に接続された他の排紙装置に送信する第２の制御手段であって、前記情報のうち自装置に関する情報に基づき自装置を制御するとともに、前記情報のうち前記下流に接続された他の排紙装置に関する情報を前記第１の通信手段を用いて前記下流に接続された他の排紙装置に送信する第２の制御手段と
を有することを特徴とする排紙装置。
【請求項１０】  前記第２の制御手段は、前記情報から前記下流に接続された他の排紙装置に関する前記情報を分離する分離手段を有することを特徴とする請求項９に記載の排紙装置。
【請求項１１】  前記下流に接続された他の排紙装置の前記装置情報は、少なくともそのトレイ数と、当該トレイに関するトレイ情報を含んでおり、
前記上流に接続された他の排紙装置に送信される変換された前記情報は、少なくとも前記トレイ数に自装置のトレイ数を加算したトレイ数と、前記下流に接続された他の排紙装置および自装置のトレイに関するトレイ情報を含むことを特徴とする請求項９または１０に記載の排紙装置。
【請求項１２】  前記トレイ情報は搬送路情報を含んでおり、前記搬送路情報には、継続された搬送路であるか独立した搬送路であるかを識別するマークが付加されていることを特徴とする請求項１１に記載の排紙装置。
【請求項１３】  前記トレイ情報は、積載可能な用紙の容量、または、現在の用紙の積載状況を含むことを特徴とする請求項１１に記載の排紙装置。
【請求項１４】  前記トレイ情報は用紙の排紙完了時間を含んでおり、
前記第１の制御手段は、自装置が前記下流に接続された他の排紙装置に至る用紙搬送路を有する場合は、前記下流に接続された他の排紙装置から送信されてきた前記排紙完了時間に自装置の排紙完了時間を加算した値を前記上流に接続された他の排紙装置または前記記録装置へ送信し、自装置が前記下流に接続された他の排紙装置に至る用紙搬送路を持たない場合は、前記下流に接続された他の排紙装置から送信されてきた前記排紙完了時間を前記上流に接続された他の排紙装置または前記記録装置へ送信することを特徴とする請求項１１に記載の排紙装置。
【請求項１５】  前記上流に接続された他の排紙装置から送信される前記情報は制御対象となるトレイ位置情報を含んでおり、
前記第２の制御手段は、前記トレイ位置情報が前記下流に接続された他の排紙装置のトレイ位置情報であると判断した場合は、前記トレイ位置情報から自装置のトレイ数を減算したトレイ位置情報に変換して前記下流に接続された他の排紙装置に送信することを特徴とする請求項９または１０に記載の排紙装置。
【請求項１６】  前記下流に接続された他の排紙装置から送信される前記装置情報は、排紙装置の動作を示す情報を含むことを特徴とする請求項９に記載の排紙装置。
【請求項１７】  前記上流に接続された他の排紙装置から送信される情報には、制御対象となるトレイの機能指定情報を含むことを特徴とする請求項９または１０に記載の排紙装置。
【手続補正２】
【補正対象書類名】明細書
【補正対象項目名】０００６
【補正方法】変更
【補正の内容】
【０００６】
【課題を解決するための手段】
上記の目的を達成するために本発明に係る給紙装置は、記録装置と電気的に接続された給紙装置であって、該給紙装置に接続され前記記録装置に対して該給紙装置よりも下流に接続された他の給紙装置と通信を行なう第１の通信手段および前記記録装置に対して該給紙装置よりも上流に接続された他の給紙装置または前記記録装置と通信を行なう第２の通信手段を備えた給紙装置において、前記第１の通信手段を用いて前記下流に接続された他の給紙装置の装置情報を取得する手段と、前記取得した装置情報と自装置の装置情報を併せた装置情報に変換した情報を前記第２の通信手段を用いて前記上流に接続された他の給紙装置または前記記録装置に送信する第１の制御手段と、前記上流に接続された他の給紙装置または前記記録装置から送信される情報を解析して自装置を介して前記下流に接続された他の給紙装置に送信する第２の制御手段であって、前記情報のうち自装置に関する情報に基づき自装置を制御するとともに、前記情報のうち前記下流に接続された他の給紙装置に関する情報を前記第１の通信手段を用いて前記下流に接続された他の給紙装置に送信する第２の制御手段とを有することを特徴とする。
【手続補正３】
【補正対象書類名】明細書
【補正対象項目名】０００７
【補正方法】変更
【補正の内容】
【０００７】
ここで、前記第２の制御手段は、前記情報から前記下流に接続された他の給紙装置に関する前記情報を分離する分離手段を有するものであって良い。
【手続補正４】
【補正対象書類名】明細書
【補正対象項目名】０００８
【補正方法】変更
【補正の内容】
【０００８】
ここで、前記下流に接続された他の給紙装置の前記装置情報は、少なくともそのトレイ数と、当該トレイに関するトレイ情報を含むものであって良く、前記上流に接続された他の給紙装置または前記記録装置に送信される変換された前記情報は、少なくとも前記トレイ数に自装置のトレイ数を加算したトレイ数と、前記下流に接続された他の給紙装置および自装置のトレイに関するトレイ情報を含むものであって良い。
【手続補正５】
【補正対象書類名】明細書
【補正対象項目名】０００９
【補正方法】変更
【補正の内容】
【０００９】
ここで、前記トレイ情報は、少なくとも積載可能な用紙サイズ情報を含むものであって良い。
【手続補正６】
【補正対象書類名】明細書
【補正対象項目名】００１０
【補正方法】変更
【補正の内容】
【００１０】
ここで、前記トレイ情報は搬送路情報を含むものであって良く、前記搬送路情報には、継続された搬送路であるか独立した搬送路であるかを識別するマークが付加されていて良い。
【手続補正７】
【補正対象書類名】明細書
【補正対象項目名】００１１
【補正方法】変更
【補正の内容】
【００１１】
ここで、前記トレイ情報は、積載可能な用紙の容量、または、現在の用紙の積載状況、または、現在積載されている用紙の種別を含むものであって良い。
【手続補正８】
【補正対象書類名】明細書
【補正対象項目名】００１２
【補正方法】変更
【補正の内容】
【００１２】
ここで、前記トレイ情報は用紙遅延ジャム検知時間を含むものであって良く、前記第１の制御手段は、自装置が前記下流に接続された他の給紙装置に至る用紙搬送路を有する場合は、前記下流に接続された他の給紙装置から送信されてきた前記用紙遅延ジャム検知時間に自装置の前記用紙遅延ジャム検知時間を加算した値を前記上流に接続された他の給紙装置または前記記録装置へ送信し、自装置が前記下流に接続された他の給紙装置に至る用紙搬送路を持たない場合は、前記下流に接続された他の給紙装置から送信されてきた前記用紙遅延ジャム検知時間を前記上流に接続された他の給紙装置または前記記録装置へ送信することができる。
【手続補正９】
【補正対象書類名】明細書
【補正対象項目名】００１３
【補正方法】変更
【補正の内容】
【００１３】
ここで、前記上流に接続された他の給紙装置または前記記録装置から送信される前記情報は制御対象となるトレイ位置情報を含むものであって良く、前記第２の制御手段は、前記トレイ位置情報が前記下流に接続された他の給紙装置のトレイ位置情報であると判断した場合は、前記トレイ位置情報から自装置のトレイ数を減算したトレイ位置情報に変換して前記下流に接続された他の給紙装置に送信することができる。
【手続補正１０】
【補正対象書類名】明細書
【補正対象項目名】００１４
【補正方法】変更
【補正の内容】
【００１４】
上記の目的を達成するために本発明に係る排紙装置は、記録装置と電気的に接続された排紙装置であって、該排紙装置に接続され前記記録装置に対して該排紙装置よりも下流に接続された他の排紙装置と通信を行なう第１の通信手段および前記記録装置に対して該排紙装置よりも上流に接続された他の排紙装置と通信を行なう第２の通信手段を備えた排紙装置において、前記第１の通信手段を用いて前記下流に接続された他の排紙装置の装置情報を取得する手段と、前記取得した装置情報と自装置の装置情報を併せた装置情報に変換した情報を前記第２の通信手段を用いて前記上流に接続された他の排紙装置または前記記録装置に送信する第１の制御手段と、前記上流に接続された他の排紙装置または前記記録装置から送信される情報を解析して自装置を介して前記下流に接続された他の排紙装置に送信する第２の制御手段であって、前記情報のうち自装置に関する情報に基づき自装置を制御するとともに、前記情報のうち前記下流に接続された他の排紙装置に関する情報を前記第１の通信手段を用いて前記下流に接続された他の排紙装置に送信する第２の制御手段とを有することを特徴とする。
【手続補正１１】
【補正対象書類名】明細書
【補正対象項目名】００１５
【補正方法】変更
【補正の内容】
【００１５】
ここで、前記第２の制御手段は、前記情報から前記下流に接続された他の排紙装置に関する前記情報を分離する分離手段を有するものであって良い。
【手続補正１２】
【補正対象書類名】明細書
【補正対象項目名】００１６
【補正方法】変更
【補正の内容】
【００１６】
ここで、前記下流に接続された他の排紙装置の前記装置情報は、少なくともそのトレイ数と、当該トレイに関するトレイ情報を含むものであって良く、前記上流に接続された他の排紙装置に送信される変換された前記情報は、少なくとも前記トレイ数に自装置のトレイ数を加算したトレイ数と、前記下流に接続された他の排紙装置および自装置のトレイに関するトレイ情報を含むものであって良い。
【手続補正１３】
【補正対象書類名】明細書
【補正対象項目名】００１７
【補正方法】変更
【補正の内容】
【００１７】
ここで、前記トレイ情報は搬送路情報を含むものであって良く、前記搬送路情報には、継続された搬送路であるか独立した搬送路であるかを識別するマークが付加されていて良い。
【手続補正１４】
【補正対象書類名】明細書
【補正対象項目名】００１８
【補正方法】変更
【補正の内容】
【００１８】
ここで、前記トレイ情報は、積載可能な用紙の容量、または、現在の用紙の積載状況を含むものであって良い。
【手続補正１５】
【補正対象書類名】明細書
【補正対象項目名】００１９
【補正方法】変更
【補正の内容】
【００１９】
ここで、前記トレイ情報は用紙の排紙完了時間を含むものであって良く、前記第１の制御手段は、自装置が前記下流に接続された他の排紙装置に至る用紙搬送路を有する場合は、前記下流に接続された他の排紙装置から送信されてきた前記排紙完了時間に自装置の排紙完了時間を加算した値を前記上流に接続された他の排紙装置または前記記録装置へ送信し、自装置が前記下流に接続された他の排紙装置に至る用紙搬送路を持たない場合は、前記下流に接続された他の排紙装置から送信されてきた前記排紙完了時間を前記上流に接続された他の排紙装置または前記記録装置へ送信することができる。
【手続補正１６】
【補正対象書類名】明細書
【補正対象項目名】００２０
【補正方法】変更
【補正の内容】
【００２０】
ここで、前記上流に接続された他の排紙装置から送信される前記情報は制御対象となるトレイ位置情報を含むものであって良く、前記第２の制御手段は、前記トレイ位置情報が前記下流に接続された他の排紙装置のトレイ位置情報であると判断した場合は、前記トレイ位置情報から自装置のトレイ数を減算したトレイ位置情報に変換して前記下流に接続された他の排紙装置に送信することができる。
【手続補正１７】
【補正対象書類名】明細書
【補正対象項目名】００２１
【補正方法】変更
【補正の内容】
【００２１】
ここで、前記下流に接続された他の排紙装置から送信される前記装置情報は、排紙装置の動作を示す情報を含むものであって良い。
【手続補正１８】
【補正対象書類名】明細書
【補正対象項目名】００２２
【補正方法】変更
【補正の内容】
【００２２】
ここで、前記上流に接続された他の排紙装置から送信される情報には、制御対象となるトレイの機能指定情報を含むであって良い。
【手続補正１９】
【補正対象書類名】明細書
【補正対象項目名】００２３
【補正方法】削除
【補正の内容】
【手続補正２０】
【補正対象書類名】明細書
【補正対象項目名】００２４
【補正方法】削除
【補正の内容】
【手続補正２１】
【補正対象書類名】明細書
【補正対象項目名】００２５
【補正方法】削除
【補正の内容】
【手続補正２２】
【補正対象書類名】明細書
【補正対象項目名】００２６
【補正方法】削除
【補正の内容】
【手続補正２３】
【補正対象書類名】明細書
【補正対象項目名】００２７
【補正方法】削除
【補正の内容】
【手続補正２４】
【補正対象書類名】明細書
【補正対象項目名】００２８
【補正方法】削除
【補正の内容】
【手続補正２５】
【補正対象書類名】明細書
【補正対象項目名】００２９
【補正方法】削除
【補正の内容】
【手続補正２６】
【補正対象書類名】明細書
【補正対象項目名】００３０
【補正方法】削除
【補正の内容】
【手続補正２７】
【補正対象書類名】明細書
【補正対象項目名】００３１
【補正方法】削除
【補正の内容】
【手続補正２８】
【補正対象書類名】明細書
【補正対象項目名】００３２
【補正方法】削除
【補正の内容】